(57)【特許請求の範囲】
【請求項１】
光学挿入／分岐マルチプレクサ（２００）としての光学装置であって、
該光学装置によって受信されたＷＤＭ信号である入力光信号を少なくとも第１及び第２の部分に分波するように構成されたスプリッタ（２０６）、
該入力光信号の少なくとも第１の部分（２３４）を処理するように構成された光受信器（２１０）、及び
該光学装置によって送信されるＷＤＭ信号である出力光信号の少なくとも一部分を生成するように構成された光送信器（２１２）
を備え、
該光送信器は、該光送信器によって生成される前記出力光信号の一部となるキャリア波長を有する光信号のための光を生成するように構成された光発生器（２２８）を備え、
該光受信器は、該光発生器によって生成された変調されていない光信号（２３８）を受信及び使用して前記入力光信号の該第１の部分を処理し、該第１の部分に変調されたデータを検出かつリカバリするように該光発生器に光学的に結合され、
該光学装置がさらに、該入力光信号の前記第２の部分から選択された光成分を阻止するように構成された波長ブロッカ（２０８）を備え、
該光送信器が、前記阻止された光成分と同じキャリア波長を有する出力光信号の成分を生成するように構成された光学装置。
【請求項２】
前記光発生器が、複数の異なる波長の一波長に動的に同調されるように構成されたレーザ（２２８）である請求項１記載の光学装置。
【請求項３】
前記光受信器が、前記データをリカバリするホモダイン受信器または位相ダイバーシティ・ホモダイン受信器である請求項１記載の光学装置。
【請求項４】
前記光発生器により生成された光の非変調の部分の使用に伴い前記光受信器によりリカバリされたデータが、ローカル・クライアントに向けられるデータ・ストリームを形成する請求項１記載の光学装置。
【請求項５】
前記光受信器は第１および第２の入力ポート（２３４、２３８）と第１の出力ポートとを有する光結合器（２３６）を備え、
該第１の入力ポートは、前記光学装置によって受信された前記入力光信号の前記一部分を含んだ第１の信号を受信するように構成され、
前記第２のポートは、前記光発生器によって生成された前記光の前記一部分を含んだ第２の信号を受信するように構成され、
前記結合器は、前記第１および第２の信号を光学的に結合し、かつ該結合の結果として得られた信号を前記第１の出力ポートで出力し、前記光受信器は、前記結合器の前記第１の出力ポートから電気的領域に向けて、かつ前記電気的領域の中に出力された前記結合の結果として得られた信号を変換かつ処理するように構成された回路（２１６−２２４）をさらに備えた請求項１記載の光学装置。
【請求項６】
前記スプリッタ（２０６）が、前記入力光信号を第１及び第２の減衰されたコピーに分波し、該第１の減衰されたコピーが該光受信器から印加された該第１の部分となり、該第２の減衰されたコピーを該波長ブロッカ（２０８）に印加するように構成され、
該波長ブロッカ（２０８）が、
前記スプリッタから該第２の減衰されたコピーを受け、
該第２の減衰されたコピーの該選択された波長の光成分を阻止し、
該第２の減衰されたコピーの残りの波長の部分を通過させるように構成され、
該光学装置が、前記波長ブロッカによって通過された残りの波長の部分を前記送信器によって生成された前記出力光信号の前記一部分と合成するように構成された光結合器（２１４）をさらに備えた請求項１記載の光学装置。
【請求項７】
光学装置においてＷＤＭ光信号を処理するための方法であって、
該光学装置によって受信された入力ＷＤＭ光信号を第１および第２の部分に分波するステップ、
前記入力ＷＤＭ光信号の前記第１の部分に分波された第１の波長の光信号を光受信器のところで受信するステップ、
前記入力ＷＤＭ光信号の前記第２の部分に分波された第１の波長の光信号を阻止するステップ、
光生成器（２２８）を用いて前記第１の波長の光信号と同じ基本キャリア波長を有する光信号のための光を生成するステップ、及び
前記光学装置によって送信される出力ＷＤＭ光信号を生成するために、前記第１の波長の光信号と同じ基本キャリア波長を有する光信号を前記入力ＷＤＭ光信号の前記第２の部分に追加するステップ
からなり、
前記光受信器が、前記第１の波長の光信号と同じ基本キャリア波長を有する光信号のための変調されていない光を受信及び使用して該第１の部分に分波された第１の波長の光信号を処理し、該第１の波長の光信号に変調されたデータを検出かつリカバリするように構成される、方法。
【発明の詳細な説明】
【技術分野】
【０００１】
本発明は、一般に光遠隔通信の分野に関し、より特定的には、光学挿入／分岐マルチプレクサ（ＯＡＤＭ）などの光学装置に関する。
【背景技術】
【０００２】
最先端技術の光学的波長分割多重化（ＷＤＭ）通信システムでは、多重に個々にデータ変調された光の波長は、光ファイバに多重化され、環状または網目状の光ネットワークを介して離れた場所まで送られる。多重通信の内容、およびある場合には多重通信の品質を修正するために、源から行き先までの経路に沿って、ＯＡＤＭなどの光学装置が一般に採用される。このような修正には、多重化内で、データを搬送する光の波長を加算、分岐、置換、かつ／または周波数変換することによって、多重化を調製する工程を含む。
ＯＡＤＭの入力または「分岐」側では、入力ＷＤＭ信号は、典型的には通過レッグと分岐レッグとに分割（例えば、電力分割器を用いて）される。分岐レッグは典型的には、入力多重化のデータ変調された波長λｄの１つを受け取り、検出し、復調するように、かつ多重化内の波長の残りをＯＡＤＭの挿入側に送るように構成された受信器に送られる。通過レッグは通常、分岐波長λｄを阻止し、多重化の残りの波長をＯＡＤＭの「加算」側に送るように構成された波長ブロッカに供給される。択一的には、電力分割および波長阻止の機能性がＷＤＭ逆多重化フィルタに組み込まれ得る。
【０００３】
ＯＡＤＭの挿入側では、光送信器が、局所的に供給されたデータ・ストリームをＯＡＤＭの分岐側から分岐された同じ波長λｄの光搬送波に向けて変調するように構成されている。次に、送信器からのこの変調された波長は、ＯＡＤＭから出力される新しい多重化を形成するために、分岐側から挿入側に送られた多重化の波長と組み合わされる。
【０００４】
ＯＡＤＭ内の送信器は一般的に、外部変調レーザの種類である。このような送信器は、適切に符号化された種類の局所的に供給されたデータ・ストリームによって変調が制御される、モジュレータ（例えば、Ｍａｃｈ−Ｚｅｈｎｄｅｒ変調器）に結合された固定波長または波長可変レーザを含む。
【０００５】
受信器は典型的には、直接検出型のものである。このような受信器は一般に、増幅器に結合されたピン型ダイオードまたはアバランシェ・ダイオード、フィルタリング電子機器、およびサンプリング／決定回路を含む。
【発明の開示】
【発明が解決しようとする課題】
【０００６】
本発明の一態様によれば、本発明の光学装置は、光学装置によって受信された入力光信号の少なくとも一部分を処理するように構成された光受信器と、光学装置によって送信される出力光信号の少なくとも一部分を生成するように構成された光送信器とを備え、光送信器は、光送信器によって生成された、前記出力光信号の一部分のための光を生成するように構成された光発生器を具備し、光受信器は、光発生器によって生成された光の部分を受け取り、かつ使用して入力光信号の一部分を処理するように光学的に光発生器に結合された光学装置である。
【０００７】
本発明のさらなる態様によれば、本発明に従ってＷＤＭ光信号を処理する方法は、光学装置によって受信された入力ＷＤＭ光信号を第１および第２の部分に分割する工程と、入力ＷＤＭ光信号の第１の部分からの第１の光信号を受信器で分岐させる工程と、入力ＷＤＭ光信号の第２の部分からの第１の光信号を阻止する工程と、光学装置によって送信される出力ＷＤＭ光信号を生成するために、前記入力ＷＤＭ光信号の前記第２の部分の前記光信号の残りの部分に第２の光信号を追加する工程とを含み、第１および第２の光信号は、実質的に同一の光搬送波長を有している光学装置内でＷＤＭ光信号を処理し、第２の光信号を追加するのに使用する光の一部は第１の光信号を分岐させるのに使用される方法である。
【０００８】
本発明のさらなる他の態様によれば、本発明に従った方法は、光学装置によって受信された入力ＷＤＭ光信号をＮ個の信号に波長逆多重化する工程と、第１の波長の単一波長信号の１つを受信器で受信する工程と、Ｎ−１個の残りの単一波長信号を出力マルチプレクサに送信する工程と、実質的に第１の波長の光を生成し、受信器に、および実質的に第１の波長の追加された光信号を生成する送信器に供給する工程と、マルチプレクサにおいて、挿入された光信号およびＮ−１個の残りの単一波長信号を組み合わせて、１つの新しいＮ信号ＷＤＭ光出力を形成する工程とを含んだ光学装置内でＷＤＭ光信号を処理する方法である。
【課題を解決するための手段】
【０００９】
挿入側波長が装置の出力に挿入されるための源だけでなく、光学装置に含まれるコヒーレント受信器内の受信側局部発振器のための基準を供給する挿入側レーザを備えた、光挿入／分岐多重装置（ＯＡＤＭ）などの光学装置による本発明の原理にしたがって、従来技術の問題点に対処する。したがって、別の局部発振器（ＬＯ）を、光学装置の受信側内のコヒーレント受信器の前部端内に設ける代わりに、本発明の光学装置は、ヘテロダイン・コンフィギュレーションまたはホモダイン・コンフィギュレーションのいずれかでミキシング周波数をコヒーレント受信器に供給するために挿入側レーザによって生成される光信号を使用する。
【００１０】
一実施形態では、本発明は、光学装置によって受け取られた入力光信号の少なくとも一部分を処理するように構成された光受信器と、光学装置によって送信される出力光信号の少なくとも一部分を生成するように構成された光送信器とを備えた光学装置である。この光送信器は、光送信器によって生成された出力光信号の部分のために、光を生成するように構成された光発生器を備え、光受信器は、光発生器によって生成された光の部分を受け取りかつ使用して、入力光信号の部分を処理する。
【００１１】
別の実施形態では、本発明は、光学装置内でＷＤＭ光信号を処理するための方法である。本発明は、（ａ）光学装置によって受信された入力ＷＤＭ光信号を第１および第２の部分に分割する工程と、（ｂ）入力ＷＤＭ光信号の第１の部分から第１の光信号を分岐させる工程と、（ｃ）入力ＷＤＭ光信号の第２の部分から第１の光信号を阻止する工程と、（ｄ）光学装置によって送信される出力ＷＤＭ光信号を生成するために、入力ＷＤＭ光信号の第２の部分の光信号の残りに、第２の光信号を挿入する工程とを含んでいる。この方法では、第１および第２の光信号は、実質的に同一の基本搬送波長を有し、第１の光信号を分岐させるために、第２の光信号を挿入するのに用いられる光の一部分が使用される。
【発明を実施するための最良の形態】
【００１２】
本願明細書において、「一実施形態」あるいは「ある実施形態」を参照することは、実施形態に関連して記載した、特定の特徴、構造、または特性が、少なくとも本発明の一実施形態に含まれ得ることを意味する。本願明細書の種々の場合において、「一実施形態において」という句が登場する場合、必ずしも、同じ実施形態を意味するものではないし、他の実施形態と相互に排他的な別のあるいは択一的な実施形態を意味するものでもない。
【００１３】
従来技術の光挿入／分岐マルチプレクサ（ＯＡＤＭ）
図１は本発明の典型的なＯＡＤＭ１００を示している。図示したように、ＯＡＤＭ１００は分岐側１０２および挿入側１０４を備えている。分岐側はスプリッタ１０６、波長ブロッカ１０８、および受信器１１０備えている。挿入側は送信器１１２および結合器１１４を備えている。
【００１４】
ＯＡＤＭの分岐側１０２では、データ符号化された光信号Ｓａ（λｉ）｜ｉ＝１…Ｎの入力多重化がネットワークから受信され、電力分割器１０６を用いて、受信器１１０に送られる分岐レッグと波長ブロッカ１０８に送られる通過レッグとに分割される。受信器１１０では、構成要素（例えば、Ｓａ（λｄ））の１つである、分岐レッグ多重化信号の「分岐波長」構成要素が、逆多重化選択器１１６によって多重化から選択され、その要素は光ダイオード１１８まで運ばれて、そこで光信号から電気信号へと変換される。次に、光ダイオードの電気出力は予備増幅器１２０によって増幅され、ローパス・フィルタ１２２によってろ波される。ローパス・フィルタの出力は、ＯＡＤＭのエンティティ・アップストリームによってｓｄ（λｄ）に変調されたデータを検出かつリカバリするために、サンプリング／決定回路１２４まで運ばれる。次に、リカバリされたデータはローカル・クライアントに「分岐」される。スプリッタ１０６から「通過レッグ」上の波長多重化のコピーを受け取る波長ブロッカ１０８は、分岐された信号構成要素Ｓａ（λｄ）に関連する分岐された波長λｄを阻止し、かつ多重化内の構成要素Ｓｄ（λｉ）｜ｉ＝１…Ｎ，ｉ≠ｄの残りをＯＡＤＭの挿入側に送るように構成されている。択一的には、挿入側の無色のスプリッタ１０６、デマックス・セレクト（多重分離セレクト）１１６、および波長ブロッカ１０８、ならびに分岐側の結合器１１４の代わりに、ＯＡＤＭの最先端技術の実施では、機能性を変えることなく、挿入側上の波長選択分岐フィルタおよび分岐側上の波長選択挿入フィルタを使用してよい。この択一的構成には、挿入ロスを低減するという利点がある。
【００１５】
ＯＡＤＭの挿入側１０４では、光送信器１１２は局所的に供給されたデータ・ストリームを、ＯＡＤＭの分岐側から分岐された同じ波長λｄの光搬送波に変調するように構成されている。次に、送信器からのこの変調された光搬送はＳａ（λｄ）は、ＯＡＤＭから出力される新しい多重化信号Ｓａ（λｉ）｜ｉ＝１…Ｎを形成するために、結合器１１４においてＯＡＤＭの分岐側から挿入側に運ばれた多重化の波長と組み合わされる。
【００１６】
特定的には、図１に示した模範的な外部変調送信器コンフィギュレーション１１２においては、レーザ１２８は波長λｄに調製され、その出力は外部モジュレータ１３０（例えば、Ｍａｃｈ−Ｚｅｎｄｅｒモジュレータ）に送られ、そこで波長λｄのレーザ出力は、符号器１２６によって予め符号化（例えば、ゼロ復帰（ＲＺ）符号化）されたかもしれない、ローカル・クライアントからのデータを用いて変調される。続いて、この変調された挿入側コンポーネント信号Ｓａ（λｄ）は、結合器１１４に送られ、そこで分岐側１０２によって結合器に送られた挿入多重化Ｓａ（λｉ）｜ｉ＝１…Ｎ，ｉ≠ｄの構成要素と組み合わされ、次に、結果として得られた完全な多重化がＯＡＤＭから出力される。
【００１７】
従来技術において一般的に見られるように、受信器１１０は直接検波型のものであることに留意されたい。しかし最近では、特に自由空間光通信の用途では、コヒーレント受信器を使用することに関心が集まっている。典型的には、そのような受信器は、ヘテロダイン構成またはホモダイン構成のいずれかのミキシング周波数を供給するために、その前部端において局部発振器（ＬＯ）を使用する。
【００１８】
コヒーレントＯＡＤＭ
図２は、本発明の好適な一実施形態による、模範的なコヒーレント受信器ベースのＯＡＤＭ２００を示している。
【００１９】
図示したように、ＯＡＤＭ２００は分岐側２０２および挿入側２０４を備えている。分岐側はスプリッタ２０６、波長ブロッカ２０８、およびコヒーレント受信器２１０を備え、平衡型構成（図示）またはシングル・エンド構成（図示せず）のいずれかで実施され得る。挿入側は送信器２１２および結合器２１４を備えている。
【００２０】
ＯＡＤＭの分岐側２０２では、データ符号化された光信号Ｓｄ（λｉ）｜ｉ＝１…Ｎの入力多重化が、電力分割器２０６を用いて、受信器２１０に送られる分岐レッグと波長ブロッカ２０８に送られる通過レッグとに分割される。
【００２１】
受信器２１０では、分岐レッグ多重化は結合器２３６の入力２３４に送られる。結合器２３６の他方の入力（２３８）は、ＯＡＤＭの挿入側から送信器２１２のスプリッタ２３２の１つの出力によって供給される。スプリッタ２３２は、波長λｄに集められる光信号を送信するように調製されているレーザ２２８によって供給されることに注意すること。したがって、結合器２３６においては、受信された信号Ｓｄ（λｉ）｜ｉ＝１…Ｎおよび波長λｄのレーザ信号からの出力の一部は、光ダイオード２１６および２１８の各々に対して互いにぶつかり、結果として、対象となる信号Ｓｄ（λｄ）のヘテロダイニング（うなり周波数がベースバンドでない場合）またはホモダイニング（うなり周波数がベースバンドの場合）になる。択一的には、分岐された信号をコヒーレントに検出するために、位相ダイバーシティ・コヒーレント受信器を用いることができる。次に、この電気的信号は、適切な信号処理電子機器２２２によってさらに処理される（例えば、平衡化されたセットアップの場合には、差が計算され（２２０）、位相ダイバーシティ設定の場合には、二乗かつ加算され、ヘテロダイン設定の場合は、ベースバンドへ復調され、あるいは、ホモダイン設定の場合には単にローパス・フィルタでろ波され、かつ増幅される）。続いて、処理された信号は、ｓａ（λｄ）に変調されたデータを検出かつリカバリするために、サンプリング／決定回路２２４に送られる。次に、リカバリされたデータはローカル・クライアントに「分岐」される。
【００２２】
スプリッタ２０６から「通過レッグ」上の波長多重化のコピーを受け取る波長ブロッカ２０８は、分岐された信号構成要素Ｓｄ（λｄ）に関連する分岐された波長λｄを阻止し、かつ多重化内の構成要素Ｓｄ（λｉ）｜ｉ＝１…Ｎ，ｉ≠ｄの残りをＯＡＤＭの挿入側に送るように構成されている。
【００２３】
ＯＡＤＭの挿入側２０４では、光送信器２１２は局所的に供給されたデータ・ストリームを、ＯＡＤＭの分岐側から分岐された同じ波長λｄの光搬送波に変調するように構成されている。次に、送信器からのこの変調された光搬送はｓａ（λｄ）は、ＯＡＤＭから出力される新しい多重化信号Ｓａ（λｉ）｜ｉ＝１…Ｎを形成するために、ＯＡＤＭの分岐側から挿入側まで運ばれた多重化の波長と組み合わされる。この送信器は波長λｄの光を分岐側２０２の受信器に供給するように構成されている。
【００２４】
より特定的には、図２に示した模範的な外部変調送信器コンフィギュレーション２１２においては、レーザ２２８は波長λｄに同調され、その出力はスプリッタ２３２に送られる。スプリッタ２３２の出力の一方は、受信器２１０の結合器２３６の入力２３８に送られる。他方の出力は外部モジュレータ２３０（例えば、Ｍａｃｈ−Ｚｅｎｄｅｒモジュレータ）に送られ、そこで波長λｄのレーザ出力は、符号器２２６によって予め符号化（例えば、ゼロ復帰（ＲＺ）符号化）されたかもしれない、ローカル・クライアントからのデータを用いて変調される。続いて、この変調された挿入側コンポーネント信号ｓａ（λｄ）は、結合器２１４に送られ、そこで分岐側２０２によって結合器に送られた入力多重化の構成要素Ｓｄ（λｉ）｜ｉ＝１…Ｎ，ｉ≠ｄと組み合わされ、次に、結果として得られた結合された多重化がＯＡＤＭから出力される。
【００２５】
図３は本発明の光学装置の択一的一実施形態３００を示している。この実施形態の構成要素は、図２の実施形態の対応する構成要素と同様に動作する。しかし、図３の実施形態においては、図２のスプリッタおよび波長ブロッカは、逆多重化フィルタ３０２に代えられ、図２の結合器２１４は多重化フィルタ３０４に代えられている。多重分離フィルタはＮ出力チャネルを生成し、その各々は単一波長である。これら波長の１つは受信器２１０に送られ、そこで図２の実施形態に関し前述したように処理される。残りの出力ならびに送信器２１２から出力された光信号は、信号を組み合わせて装置の全体の出力を形成する多重通信回路フィルタ３０４に送られる。
【００２６】
図２および図３に記載した受信器は、ヘテロダイン、ホモダイン、または「位相ダイバーシティ・コヒーレント」ホモダイン受信器であり得ることに注意すること。後者の場合、局所レーザは、必ずしも入力信号と位相が一致していないか、あるいは位相が同期していないが、基本的にその信号は光ビート処理によってベースバンド復調される。厳密なホモダイン受信器においては、受信された搬送波の位相とＬＯを一致させるために、受信器に特別な回路が加えられる。この一致は、局部発振器が受信された信号の位相の変動（例えば、位相変調のために）が測定され得る場合の基準として使用されてよいために、ある種の変調スキーム（例えば、位相偏移キー変調）を採用するシステムでは有用である。本発明の択一的実施形態では、スプリッタ２３２の出力は、結合器２３６に送られる前に位相調整器を通過する。位相調整器では、レーザの位相は、実際のホモダイン受信を支援するために入力信号ｓｄ（λｄ）の位相と一致するように調節されてよい。択一的には、当業者には理解されるように、レーザ２２８の位相は直接調節されてよい。
【００２７】
図２に明示していないが、本発明の１つまたは複数の実施において、波長ブロッカ２０８によって阻止された波長およびレーザ２２８によって放出された基本波長は変更可能であり、動的に変更（例えば、シンプル・ネットワーク管理プロトコル・サポートを有するコントローラを介して）されてよい。
【００２８】
図２の模範的なＯＡＤＭ実施形態２００に関して記載したような本発明は、当業者には理解されるであろうように、振幅変調された（例えば、ｏｎ−ｏｆｆ  ｋｅｙｅｄ（ＯＯＦ））光信号ならびに他の変調フォーマット（例えば、搬送波抑圧ＯＯＫ、デュオバイナリ方式、交互マーク反転符号、チャープ・ゼロ復帰、差動位相偏移変調（ＤＰＳＫ）、および作動４相位相偏移変調（ＤＰＱＳＫ））を復調するために用いられてよい。
【００２９】
図２の模範的実施形態に示したようなコヒーレント受信器２１０はホモダインされた光信号を電気的フォーマットに変換するための回路を備えているが、組み合わされた局部発振器の信号および受信された信号を送信し、かつ組み合わされた信号を最初に電気的領域またはホモダイニングに変換することなく、組み合わされた信号をローカル・クライアントまたは離れた位置に分岐する機構を備える装置は本発明の精神および範囲にある。同様に、送信器によって使用される光の一部に受信された光信号をホモダインし、かつ、続いて図２の受信器２１０に対応する考察のようにＯ−Ｅ変換を実行するが、次にはその信号をローカル・クライアントに分岐する前あるいは光学的領域においてさらに処理する前に、Ｅ−Ｏ変換を実行する受信器を備えた装置も、本発明の精神および範囲にある。
【００３０】
平衡化された受信器を備えた好適な実施形態に関して本発明を説明してきたが、考察されたように、シングル・エンド、ホモダイン、ヘテロダインまたは位相ダイバーシティ・ホモダイン受信器の構成は、本発明の精神および範囲にある。
【００３１】
ＯＡＤＭとして当該技術分野においては知られている装置に関し、かつ１つの分岐および１つの挿入波長に関して本発明を記載してきたが、本発明の概念および利点はまた、多様な光学装置およびサブシステムに適用され、そこでは受信器および送信器の両方が存在し、かつ装置内の１つまたは複数のレーザあるいはレーザ源が受信器の電子装置と共有されてよい。当業者には理解されるように、この装置は２つ以上の同時に発生する波長を受信、阻止、かつ／または送信する装置にも適用される。本発明はまた、入力ＷＤＭ信号内の波長に対応する２つ以上の入力データ信号がダンプされる（すなわち、局所的に挿入された光に沿っては一緒に通過しない）光通信システムの１つのエンド・ノードにも適用される。
【００３２】
本発明の構成要素は、本発明の原理および範囲に存しながら、種々の技法により、かつ種々の技術において実施されてよいことに注意すること。これらの技法および技術は、光集積受信器技術、光集積（シリコン・オン・シリコン基板またはＳｉ：ＳｉＯ２など）、光ファイバ、自由空間光通信、薄膜、ＩｎＧａＡｓ、マイクロミラー・マイクロ・エレクトロ・メカニカル・アレイ、および光学ゲート・サブシステムを含むが、これらに限定されるものではない。
【００３３】
本発明を説明のための実施形態に関して解説してきたが、この解説は限定的な意味に解釈されるべきではない。記載した実施形態の種々の変形のほかに、本発明が関連する当業者には明らかである本発明のその他の実施形態は、本発明の特許請求の範囲に明示されたように、本発明の原理および範囲に存するとみなされる。
【００３４】
本発明の方法クレームの工程が特定の場面において、対応するラベリングとともに詳述される場合があるが、本発明の特許請求の範囲の列挙が、それら工程の一部または全部を実施するために特定のシーケンスを暗示していない場合には、それら工程は、必ずしもその特定の場面において実施されることに限定されることを意図したものではない。
【００３５】
本発明のその他の態様、特徴、および利点は、本願明細書の詳細な説明および添付図面からより完全なものとなろう。
【図面の簡単な説明】
【００３６】
【図１】従来技術による模範的な光学挿入／分岐マルチプレクサ（ＯＡＤＭ）１００を示す図である。
【図２】本発明の好適な実施形態による、模範的なコヒーレント受信器ベースのＯＡＤＭ２００を示す図である。
【図３】本発明による、別の模範的なコヒーレント受信器ベースの光学装置３００を示す図である。
【図１】
0004841121.tif 000002
【図２】
0004841121.tif 000003
【図３】
0004841121.tif 000004